(57)【要約】  夾角の調整を簡単に行うことができ、時間と手間を省き、光学式ビデオディスクプレーヤのトラッキングサーボ能力を向上させた、光学式ビデオディスクプレーヤのトラッキングサーボ方法および専用装置である。光学式ビデオディスクプレーヤのトラッキングサーボ方法は、レーザービームをメインビームおよび２本のサブビームに分割し、メインビームから生成されるトラッキング誤差信号、および２本のサブビームから生成されるトラッキング誤差信号を用いて減算を行う。前述のメインビームスポットは円形で、２つのサブビームスポットは楕円形である。この専用装置は回折格子の有効径（１）を有し、有効径（１）内に中間領域（２）および両側領域（３、４）を有する。中間領域（２）の両側縁は平行で同じ長さである。両側縁間の距離および有効径（１）の直径の比は、１０〜９０％であり、中間領域（２）と両側領域（３、４）の分割周期は異なる。【選択図】図９
2011527484.tif 000002
【特許請求の範囲】
【請求項１】
レーザービームをメインビームおよび２本のサブビームに分割し、メインビームから生成されるトラッキング誤差信号および２本のサブビームから生成されるトラッキング誤差信号を用いて減算する、光学式ビデオディスクプレーヤのトラッキングサーボ方法であって、前記メインビームスポットが円形で、２つのサブビームスポットが楕円形であることを特徴とするトラッキングサーボ方法。
【請求項２】
回折格子の有効径（１）を有する光学式ビデオディスクプレーヤのトラッキングサーボ方法の専用装置であって、有効径（１）内に、中間領域（２）および両側領域（３）、（４）を有し、中間領域（２）の両側縁が平行で同じ長さであり、両側縁間の距離および有効径（１）の直径の比が１０〜９０％であり、中間領域（２）および両側領域（３）、（４）の分割周期が異なることを特徴とする、請求項１に記載の専用装置。
【請求項３】
前記中間領域（２）の両側縁間の距離、および有効径（１）の直径の比が４０〜６０％であり、中間領域（２）の分割周期が両側領域（３）、（４）の分割周期より大きく、両側領域（３）、（４）の分割周期が同じであることを特徴とする、請求項２に記載の光学式ビデオディスクプレーヤのトラッキングサーボ方法の専用装置。
【発明の詳細な説明】
【技術分野】
【０００１】
本発明は光学式ビデオディスクプレーヤ、特に光学式ビデオディスクプレーヤのトラッキングサーボ能力を高めるのに使用される、光学式ビデオディスクプレーヤのトラッキングサーボ方法および専用装置に関する。
【背景技術】
【０００２】
現在の光学式ビデオディスクプレーヤのトラッキングサーボ方法は、基本的に差動プッシュプル法（略称ＤＰＰ法）を採用しており、回折格子によってレーザービームを３ビーム（メインビームおよび２本のサブビーム）に分割し、ビームスプリッタプリズム、対物レンズなどの処理後、光ディスクのトラックに照射される。３ビームおよび光ディスクトラック間の夾角の調整によって、メインスポットおよび２個のサブスポットから形成される信号の位相が反対となる。メインスポットから生成されるトラッキング誤差信号をＭＰＰといい、２個のサブスポットから生成されるトラッキング誤差信号をＳＰＰという。ＭＰＰおよびＳＰＰ信号は、有用な交流信号が不要な直流量に重なる。ＭＰＰおよびＳＰＰの交流信号の位相は反対であり、差動プッシュプル法を用いて、ＭＰＰおよびＳＰＰを減算し、不要な直流成分が除去されると、有用な交流成分が加算される。ＭＰＰの直流量およびＳＰＰの直流量は、偏心ディスクを読むときに変化することがある。したがって、トラッキング誤差信号の直流信号の変化量を除去するため、すべてのトラッキング誤差信号はＤＰＰ＝ＭＰＰ−Ｋ＊ＳＰＰで示され、そのうちＫ＝ＭＰＰ直流量の変化量／ＳＰＰ直流量の変化量である。現在使用されるトラッキングサーボ装置において、回折格子の有効径内の分割周期は完全に同じであるため、形成されるメインスポットおよびサブスポットは、すべて円形である。光ディスクの偏心または対物レンズの焦点移動により、３ビームおよびトラック間の夾角に変化が生じ、偏差が生じたとき、ＳＰＰの交流信号の位相およびＭＰＰの交流信号の位相は同じであるか近い。したがって、ＭＰＰおよびＳＰＰを減算すると、ＤＰＰ値は基本的にゼロである。トラッキングサーボはトレースを行うことができなくなり、サーボ能力は比較的弱くなる。精密な光学調整を行うことができれば、ビデオディスクプレーヤのトラッキングサーボ能力を相対に向上させることができる。夾角の調整操作は複雑であり、時間と手間がかかる。
【発明の概要】
【発明が解決しようとする課題】
【０００３】
本発明は、既存技術に存在するサーボ能力が比較的弱いという問題を解決するため、夾角の調整が簡単で、時間と手間を省き、光学式ビデオディスクプレーヤのトラッキングサーボ能力を高めた、光学式ビデオディスクプレーヤのトラッキングサーボ方法および専用装置を提供する。
【課題を解決するための手段】
【０００４】
本発明の技術的解決方法を示す。光学式ビデオディスクプレーヤのトラッキングサーボ方法は、レーザービームをメインビームおよび２本のサブビームに分け、メインビームから生成されるトラッキング誤差信号、および２本のサブビームから生成されるトラッキング誤差信号を用いて減算を行う。その特徴は、メインビームスポットが円形であり、２つのサブビームスポットが楕円形であることである。
【０００５】
光学式ビデオディスクプレーヤのトラッキングサーボ方法の専用装置は、回折格子の有効径１を有し、有効径１内に中間領域２および両側領域３、４を有する。中間領域２の両側縁は平行で、同じ長さである。両側縁間の距離、および有効径１の直径の比は１０〜９０％である。中間領域２と両側領域３、４の分割周期は異なる。
【０００６】
前述した中間領域２の両側縁間の距離、および有効径１の直径の比は４０〜６０％である。中間領域２の分割周期は、両側領域３、４の分割周期より大きく、両側領域３、４の分割周期は同じである。
【０００７】
本発明では、レーザー装置が発するスポットを分割して、円形のメインスポットおよび楕円形の２つのサブスポットが形成される。メインスポットから生成されるＭＰＰ信号、およびサブスポットから生成されるトラッキング誤差信号ＥＳＰＰは、交流信号が直流信号に重なる。しかし、ＥＳＰＰ信号の交流信号は小さく、直流信号は変化しない。ＭＰＰおよびＥＳＰＰを減算し、不要な直流信号が除去されると、有用な交流信号は基本的にＭＰＰの交流信号である。したがって、光ディスクの偏心または対物レンズの焦点移動などによって、３ビームおよびトラック間の夾角が変化し、偏差が生じた場合でも、生成されるトラッキングサーボ信号値ＥＤＰＰ（ＥＤＰＰ＝ＭＰＰ−Ｋ＊ＥＳＰＰ）は、ほとんど変化しない。トラッキングサーボに対して影響が無く、光学式ビデオディスクプレーヤのトラッキングサーボ能力を向上させ、製品の品質を保証する。さらに、夾角の精密度に対する要求は高くないため、夾角の調整を簡単にし、時間と手間を省く。使用する装置の構造は簡単で、製造しやすい。
【図面の簡単な説明】
【０００８】
【図１】図１は、本発明の実施例における、正常調整時の光点の概要図である。
【図２】図２は、本発明の実施例における、正常調整時のＭＰＰの波形概要図である。
【図３】図３は、本発明の実施例における、正常調整時のＥＳＰＰの波形概要図である。
【図４】図４は、本発明の実施例における、正常調整時のＥＤＰＰの波形概要図である。
【図５】図５は、本発明の実施例において、調整で偏差が生じたときの光点の概要図である。
【図６】図６は、本発明の実施例において、調整で偏差が生じたときのＭＰＰの波形概要図である。
【図７】図７は、本発明の実施例において、調整で偏差が生じたときのＥＳＰＰの波形概要図である。
【図８】図８は、本発明の実施例において、調整で偏差が生じたときのＥＤＰＰの波形概要図である。
【図９】図９は、本発明の実施例における、専用装置の構造概要図である。
【発明を実施するための形態】
【０００９】
以下に図を組み合わせて、本発明の具体的実施例を説明する。
【実施例】
【００１０】
光学式ビデオディスクプレーヤのトラッキングサーボ方法は、レーザービームをメインビームおよび２本のサブビームに分割し、メインビームから生成されるトラッキング誤差信号および２本のサブビームから生成されるトラッキング誤差信号を用いて減算する。前述のメインビームスポットが円形で、２つのサブビームスポットが楕円形であることを特徴とする。
【００１１】
正常調整時の光点を、図１に示す。有用なサブスポットは楕円形であるため、対物レンズに入射するとき、サブスポットの縦横の開口数は異なる。定義は以下の通りである。
【００１２】
焦点直径
【００１３】
【数１】
2011527484.tif 000003
式中、Ｄは光点の直径、
Ｋは定数、
λは波長、
ＮＡは開口数、
である。
【００１４】
楕円形のビームスポットに関して、長軸側の光の開口数ＮＡは大きいため、長軸側の光の集光能力は強く、光点の直径は小さい。短軸側の光の開口数ＮＡは小さいため、短軸側の光の集光能力は弱く、光点の直径は大きい。したがって、形成される焦点も楕円形の焦点である。ただし、長短軸の方向は入れ替わる。
【００１５】
レーザーディスクのとき、メインスポット５およびサブスポット６、７は光ディスクのトラックを照射し、楕円形のサブスポット６、７の長軸およびトラックの方向は垂直である。
【００１６】
生成されるＭＰＰ、ＥＳＰＰおよびＥＤＰＰの波形を、それぞれ図２、図３、図４に示す。メインスポットから生成されるＭＰＰ信号、およびサブスポットから生成されるトラッキング誤差信号ＥＳＰＰは、交流信号が直流信号に重なる。しかしＥＳＰＰの交流信号は小さく、直流信号は変化しない。ＭＰＰおよびＥＳＰＰを減算し、不要な直流信号が除去されると、有用な交流信号は、基本的にＭＰＰの交流信号である。
【００１７】
光ディスクの偏心、または対物レンズの焦点移動などによって、３ビームおよびトラック間の夾角に変化が生じ、偏差が生じたときの光点を図５に示す。生成されるＭＰＰ、ＥＳＰＰおよびＥＤＰＰの波形を、それぞれ図６、図７、図８に示す。メインスポットから生成されるＭＰＰ信号の直流成分および交流成分は変化しない。サブスポットから生成されるトラッキング誤差信号ＥＳＰＰの交流信号の振幅は変化が小さく、直流信号は変化しない。したがって、ＭＰＰおよびＥＳＰＰを減算し、不要な直流信号が除去されると、有用な交流信号は、基本的にＭＰＰの交流信号である。トラッキングサーボに対して影響はなく、光学式ビデオディスクプレーヤのトラッキングサーボ能力を高め、製品の質を保証する。
【００１８】
本発明の実施例における専用装置は、図９に示すように、特殊構造の回折格子でもよい。回折格子の有効径１を有し、有効径１内に中間領域２および両側領域３、４を有する。中間領域２の両側縁は平行で、同じ長さである。両側縁間の距離、および有効径１の直径の比は１０〜９０％であり、中間領域２と両側領域３、４の分割周期は異なる。
【００１９】
前述の中間領域２の両側縁間の距離、および有効径１の直径の比は４０〜６０％であり、中間領域２の分割周期は、両側領域３、４の分割周期より大きい。両側領域３、４の分割周期は同じである。
【００２０】
回折格子の分光原理に基づくと、回折格子の分割周期が小さい部分の回折角は大きく、サブビームはメインビームから比較的離れた部分に分割される。反対に、回折格子の分割周期が大きい部分の回折角は小さく、サブビームはメインビームから比較的近い部分に分割される。メインビームおよびサブビームを受ける受光板の距離の大小に基づき、回折格子の分割を行う。本発明の実施例図１が示す中間領域２の分割周期は、両側領域３、４の分割周期と異なる。この回折格子の回折の後も、メインスポットは依然として円形スポットであり、２つのサブスポットは、中間領域２の光の回折によって、得られた楕円形のスポットである。両側領域の回折スポットは、使用しないため考慮しない。
【図１】
2011527484.tif 000004
【図２】
2011527484.tif 000005
【図３】
2011527484.tif 000006
【図４】
2011527484.tif 000007
【図５】
2011527484.tif 000008
【図６】
2011527484.tif 000009
【図７】
2011527484.tif 000010
【図８】
2011527484.tif 000011
【図９】
2011527484.tif 000012
【国際調査報告】
2011527484.tif 000013
2011527484.tif 000014
2011527484.tif 000015
2011527484.tif 000016
2011527484.tif 000017